(57)【要約】      （修正有）【課題】箱体の天面部をフラットに保持することが容易な箱用シートを提供する。【解決手段】箱用シート１０は、組立状態で互いに対向する一対の長さ面パネル１及び一対の端面パネル２と、一対の長さ面パネル１の上縁から延出する一対の長さ面フラップ３と、一対の端面パネル２の上縁から延出する一対の端面フラップ４とを備え、一対の端面フラップ４が、端面パネル２の上縁から延出する台形状の基部１１と、基部１１の先端縁から突出する凸部１２とを有しており、一対の長さ面フラップ３が、略矩形状であり、かつ先端縁の幅方向の両側に凸部１２の幅方向外側の先端部分を係止可能な一対の切り欠き１３を有しており、一対の長さ面フラップ３が一対の長さ面パネル１の内側に折り曲げられ、かつ一対の端面フラップ４が一対の長さ面フラップ２の上方に折り重ねられて凸部１２が切り欠き１３に係止されることで、上部開口を有する箱体に組み立てられる。【選択図】図１
0003227878.tif 000002
【実用新案登録請求の範囲】
【請求項１】
左右方向に交互に連接される一対の長さ面パネル及び一対の端面パネルと、
上記一対の長さ面パネルの上縁から延出する一対の長さ面フラップと、
上記一対の端面パネルの上縁から延出する一対の端面フラップと
を備え、
上記一対の端面フラップが、上記端面パネルの上縁から延出する台形状の基部と、この基部の先端縁から突出する凸部とを有しており、
上記一対の長さ面フラップが、略矩形状であり、かつ先端縁の幅方向の両側に上記凸部の幅方向外側の先端部分を係止可能な一対の切り欠きを有しており、
上記一対の長さ面パネル同士及び上記一対の端面パネル同士が互いに対向するように四角筒状に組み立てられ、
上記一対の長さ面フラップが上記一対の長さ面パネルの内側に折り曲げられ、かつ上記一対の端面フラップが上記一対の長さ面フラップの上方に折り重ねられて上記凸部が上記切り欠きに係止されることで、上部開口を有する箱体に組み立てられる箱用シート。
【請求項２】
上記凸部が、先端側の両側の角部が面取りされた略矩形状である請求項１に記載の箱用シート。
【請求項３】
上記切り欠きの底部からこの切り欠きが形成されている長さ面フラップの基端縁に延びる折り曲げ容易線を有しており、
上記折り曲げ容易線が、上記切り欠きの底部から上記長さ面フラップの基端縁に向けて上記長さ面フラップの幅方向の内側に傾斜している請求項１又は請求項２に記載の箱用シート。
【請求項４】
上記折り曲げ容易線が、複数の切断線とシートの内面を筋押しした複数の罫線とが交互に配置されたリード罫線である請求項３に記載の箱用シート。
【請求項５】
上記切り欠きが、上記長さ面フラップの延出方向と平行な第１直線部と、この第１直線部の端部に接続され、上記長さ面フラップの先端縁に向けて上記長さ面フラップの幅方向の内側に傾斜して延びる第２直線部とを有するＶ字状である請求項１から請求項４のいずれか１項に記載の箱用シート。
【考案の詳細な説明】
【技術分野】
【０００１】
本考案は、箱用シートに関する。
【背景技術】
【０００２】
ねぎやキャベツ等の農作物を収容するための容器として、段ボールシート等から組み立ててなる箱体が使用されている。この箱体として、互いに対向する一対の端壁及び一対の側壁と、一対の端壁の上縁から延出する一対の端フラップと、一対の側壁の上縁から延出する一対の側フラップとを備え、天面に開口部を有する構成のものが提案されている（特開２００３−１７０９２１号公報参照）。
【先行技術文献】
【特許文献】
【０００３】
【特許文献１】特開２００３−１７０９２１号公報
【考案の概要】
【考案が解決しようとする課題】
【０００４】
上記公報には、端フラップの先端部に一対の切込に挟まれた引上片を形成し、側フラップの先端部に被圧片を形成し、端フラップの上側に側フラップが折り重ねられた状態で引上片を引き上げることで、引上片の両端部が被圧片に乗り上げ、端フラップと側フラップとを接続することができることが記載されている。
【０００５】
上記公報に記載されている箱体は、引上片の引き上げが容易になるように引上片の中央部分及び左右両側部分に３つの罫線が形成されている。そのため、この箱体は、組立状態で端フラップが上記罫線で折れ曲がりやすく、箱体の天面部をフラットに保ち難い。
【０００６】
本考案は、このような不都合に鑑みてなされたものであり、箱体の天面部をフラットに保持することが容易な箱用シートを提供することを目的とする。
【課題を解決するための手段】
【０００７】
本考案の一態様に係る箱用シートは、左右方向に交互に連接される一対の長さ面パネル及び一対の端面パネルと、上記一対の長さ面パネルの上縁から延出する一対の長さ面フラップと、上記一対の端面パネルの上縁から延出する一対の端面フラップとを備え、上記一対の端面フラップが、上記端面パネルの上縁から延出する台形状の基部と、この基部の先端縁から突出する凸部とを有しており、上記一対の長さ面フラップが、略矩形状であり、かつ先端縁の幅方向の両側に上記凸部の幅方向外側の先端部分を係止可能な一対の切り欠きを有しており、上記一対の長さ面パネル同士及び上記一対の端面パネル同士が互いに対向するように四角筒状に組み立てられ、上記一対の長さ面フラップが上記一対の長さ面パネルの内側に折り曲げられ、かつ上記一対の端面フラップが上記一対の長さ面フラップの上方に折り重ねられて上記凸部が上記切り欠きに係止されることで、上部開口を有する箱体に組み立てられる。
【考案の効果】
【０００８】
本考案の一態様に係る箱用シートによると、箱体の天面部をフラットに保持することが容易である。
【図面の簡単な説明】
【０００９】
【図１】図１は、本考案の一実施形態に係る箱用シートを示す模式的平面図である。
【図２】図２は、図１の箱用シートを組み立ててなる箱体の模式的斜視図である。
【図３】図３は、図２の箱体の長さ面フラップと端面フラップとの接続部分を示す模式的平面図である。
【考案を実施するための形態】
【００１０】
［本考案の実施形態の説明］
最初に本考案の実施態様を列記して説明する。
【００１１】
本考案の一態様に係る箱用シートは、左右方向に交互に連接される一対の長さ面パネル及び一対の端面パネルと、上記一対の長さ面パネルの上縁から延出する一対の長さ面フラップと、上記一対の端面パネルの上縁から延出する一対の端面フラップとを備え、上記一対の端面フラップが、上記端面パネルの上縁から延出する台形状の基部と、この基部の先端縁から突出する凸部とを有しており、上記一対の長さ面フラップが、略矩形状であり、かつ先端縁の幅方向の両側に上記凸部の幅方向外側の先端部分を係止可能な一対の切り欠きを有しており、上記一対の長さ面パネル同士及び上記一対の端面パネル同士が互いに対向するように四角筒状に組み立てられ、上記一対の長さ面フラップが上記一対の長さ面パネルの内側に折り曲げられ、かつ上記一対の端面フラップが上記一対の長さ面フラップの上方に折り重ねられて上記凸部が上記切り欠きに係止されることで、上部開口を有する箱体に組み立てられる。
【００１２】
当該箱用シートは、上記一対の長さ面パネル同士及び上記一対の端面パネル同士が互いに対向するように四角筒状に組み立てられた状態で、上記一対の長さ面フラップが上記一対の長さ面パネルの内側に折り曲げられ、かつ上記一対の端面フラップが上記一対の長さ面フラップの上方に折り重ねられて上記凸部が上記切り欠きに係止されることで、上部開口を有する箱体に組み立てられる。当該箱用シートは、上記一対の端面フラップに設けられる凸部の幅方向外側の先端部分を上記一対の長さ面フラップに設けられる切り欠きに係止することで上記一対の長さ面フラップ及び上記一対の端面フラップを接続することができるので、上記一対の長さ面フラップと上記一対の端面フラップとの接続に際して上記凸部を上方に引き上げることを要しない。そのため、当該箱用シートは、上記一対の端面フラップに折り曲げ用の罫線を設けなくても、上記一対の長さ面フラップと上記一対の端面フラップとを容易に接続することができる。従って、当該箱用シートは、組立状態における上記一対の端面フラップの折れ曲がりを抑制して箱体の天面部をフラットに保持することができる。
【００１３】
上記凸部が、先端側の両側の角部が面取りされた略矩形状であるとよい。このように、上記凸部が、先端側の両側の角部が面取りされた略矩形状であることによって、上記切り欠きに上記凸部をより容易に係止することができる。
【００１４】
上記切り欠きの底部からこの切り欠きが形成されている長さ面フラップの基端縁に延びる折り曲げ容易線を有しており、上記折り曲げ容易線が、上記切り欠きの底部から上記長さ面フラップの基端縁に向けて上記長さ面フラップの幅方向の内側に傾斜しているとよい。このように、上記切り欠きの底部からこの切り欠きが形成されている長さ面フラップの基端縁に延びる折り曲げ容易線を有しており、上記折り曲げ容易線が、上記切り欠きの底部から上記長さ面フラップの基端縁に向けて上記長さ面フラップの幅方向の内側に傾斜していることによって、上記凸部を上記切り欠きに係止する際に、上記一対の長さ面フラップが上記折り曲げ容易線で折れ曲がりやすくなる。その結果、上記一対の端面フラップを水平に保ちつつ、上記一対の長さ面フラップの上記折り曲げ容易線よりも幅方向の外側の部分を上記一対の端面フラップの下側に潜り込ませやすくなる。これにより、上記箱体の天面部をより容易かつ確実にフラットに保持することができる。
【００１５】
上記折り曲げ容易線が、複数の切断線とシートの内面を筋押しした複数の罫線とが交互に配置されたリード罫線であるとよい。このように、上記折り曲げ容易線が、複数の切断線とシートの内面を筋押しした複数の罫線とが交互に配置されたリード罫線であることによって、上記一対の長さ面フラップを上記折り曲げ容易線で容易かつ確実に折り曲げることができる。
【００１６】
上記切り欠きが、上記長さ面フラップの延出方向と平行な第１直線部と、この第１直線部の端部に接続され、上記長さ面フラップの先端縁に向けて上記長さ面フラップの幅方向の内側に傾斜して延びる第２直線部とを有するＶ字状であるとよい。このように、上記切り欠きが、上記長さ面フラップの延出方向と平行な第１直線部と、この第１直線部の端部に接続され、上記長さ面フラップの先端縁に向けて上記長さ面フラップの幅方向の内側に傾斜して延びる第２直線部とを有するＶ字状であることによって、上記一対の長さ面フラップ及び上記一対の端面フラップをより容易に接続することができる。
【００１７】
なお、本考案において、「左右方向」とは、箱用シートを組み立ててなる箱体の想定される一般的な使用態様における水平方向を意味する。また、「上」とは、箱用シートを組み立ててなる箱体の想定される一般的な使用態様における上を意味する。
【００１８】
［本考案の実施形態の詳細］
以下、適宜図面を参照しつつ、本考案の実施の形態を詳説する。
【００１９】
［箱用シート］
図１の箱用シート１０は、１枚のシートから構成される。当該箱用シート１０は、左右方向に交互に連接される一対の長さ面パネル１及び一対の端面パネル２と、一対の長さ面パネル１の上縁から延出する一対の長さ面フラップ３と、一対の端面パネル２の上縁から延出する一対の端面フラップ４とを備える。また、当該箱用シート１０は、一対の長さ面パネル１の下縁から延出する一対の底外フラップ（第１底外フラップ５ａ及び第２底外フラップ５ｂ）と、一対の端面パネル２の下縁から延出する一対の底内フラップ６と、一対の長さ面パネル１のうち、左右方向外側（本実施形態では左右方向左側）に位置する長さ面パネル１の左右方向外側の側縁から延出する糊代７とを備える。一対の端面フラップ４は、端面パネル２の上縁から延出する台形状の基部１１と、基部１１の先端縁から突出する凸部１２とを有する。一対の長さ面フラップ３は略矩形状である。一対の長さ面フラップ３は、先端縁の幅方向の両側に凸部１２の幅方向外側の先端部分を係止可能な一対の切り欠き１３を有する。なお、「下」とは、箱用シートを組み立ててなる箱体の想定される一般的な使用態様における下を意味する。また、図１において、太い実線はシートを切断して形成される切断線を示し、細い実線はシートの片面を筋押しして形成される罫線を示す。
【００２０】
当該箱用シート１０は、箱型に組み立て可能であり、具体的には図２及び図３の箱体２０に組み立てられる。当該箱用シート１０は、一対の長さ面パネル１同士及び一対の端面パネル２同士が互いに対向するように四角筒状に組み立てられ、一対の長さ面フラップ３が一対の長さ面パネル１の内側に折り曲げられ、かつ一対の端面フラップ４が一対の長さ面フラップ３の上方に折り重ねられて凸部１２が切り欠き１３に係止されることで、上部開口を有する箱体２０に組み立てられる。
【００２１】
当該箱用シート１０を箱体２０に組み立てる手順の一例について説明する。まず、左右方向外側（本実施形態では左右方向左側）に位置する長さ面パネル１をこの長さ面パネル１に連接される端面パネル２の内面に折り重ね、左右方向外側（本実施形態では左右方向右側）に位置する端面パネル２をこの端面パネル２に連接される長さ面パネル１の内面に折り重ね、糊代７を折り重ねられた端面パネル２の内面に貼着する。続いて、無端状に接続された一対の長さ面パネル１及び一対の端面パネル２を四角筒状に広げたうえ、一対の底内フラップ６を内側に折り曲げ、さらに第１底外フラップ５ａ及び第２底外フラップ５ｂの先端部分同士を係合させることで箱体２０の底部を形成する。次に、一対の長さ面フラップ３を内側に略垂直に折り曲げた後、一対の端面フラップ４を内側に略垂直に折り曲げて一対の長さ面フラップ３の上に折り重ねる。続いて、一対の端面フラップ４の凸部１２の幅方向両側の先端部分が一対の長さ面フラップ３に設けられた切り欠き１３に係止されるように、凸部１２を押し下げて長さ面フラップ３の下方に潜り込ませて箱体２０の天面部２１を形成する。これにより、一対の長さ面フラップ３の先端縁及び一対の端面フラップ４の先端縁によって画定される上部開口を有する箱体２０が組み立てられる。
【００２２】
当該箱用シート１０に用いられるシートとしては、当該箱用シート１０を組み立ててなる箱体２０の形状を維持できる程度の強度を有する限り特に限定されるものではなく、例えば段ボールシート、ボール紙等の紙製シート、合成樹脂製シート、紙製シートと合成樹脂製シートとの積層シート等が挙げられる。中でも、加工性、衝撃吸収性、取扱性、リサイクル性、経済性等の点から紙製シートが好ましく、段ボールシートが特に好ましい。当該箱用シート１０を形成する段ボールとしては、原紙を波形状に形成した中芯をライナーに貼り合わせたものであって、例えば波形状に形成された中芯を１枚のライナーに貼り合わせた片面段ボールシート、片面段ボールシートの段頂にさらにライナーを貼り合わせた両面段ボールシート、両面段ボールシートの片側に片面段ボールシートの段頂を貼り合わせた複両面段ボールシート、複両面段ボールシートの片側に片面段ボールシートの段頂をさらに貼り合わせた複々両面段ボールシート等が挙げられる。これらの中でも、加工性、経済性、耐久性等の点から両面段ボールシートが好ましい。
【００２３】
（長さ面パネル）
一対の長さ面パネル１は矩形状かつ略同一形状に形成されている。長さ面パネル１の左右方向長さは端面パネル２の左右方向長さよりも大きい。
【００２４】
長さ面パネル１の左右方向長さとしては、箱体２０に収容する物品の大きさ等に基づいて適宜設定可能であるが、例えば３０ｃｍ以上８０ｃｍ以下とすることができる。長さ面パネル１の上下方向長さとしては、箱体２０に収容する物品の大きさ等に基づいて適宜設定可能であるが、例えば５ｃｍ以上３０ｃｍ以下とすることができる。
【００２５】
（端面パネル）
一対の端面パネル２は矩形状かつ略同一形状に形成されている。端面パネル２の左右方向長さとしては、箱体２０に収容する物品の大きさ等に基づいて適宜設定可能であるが、例えば１０ｃｍ以上５０ｃｍ以下とすることができる。端面パネル２の上下方向長さとしては、長さ面パネル１の上下方向長さと同じとすることができる。
【００２６】
長さ面パネル１の左右方向長さに対する端面パネル２の左右方向長さの比の下限としては、０．３が好ましく、０．４がより好ましい。一方、上記比の上限としては、０．６が好ましく、０．５がより好ましい。当該箱用シート１０は、長さ面パネル１の左右方向長さに対する端面パネル２の左右方向長さの比が上記範囲内であることによって、箱体２０に組み立てられた状態で一対の長さ面フラップ３及び一対の端面フラップ４を水平に保ちやすい。上記比が上記下限に満たないと、端面フラップ４の可撓性が不十分となり、凸部１２の幅方向の先端部分を切り欠き１３に通過させることが困難になるおそれがある。逆に、上記比が上記上限を超えると、長さ面フラップ３の可撓性が不十分となり、凸部１２の幅方向の先端部分を切り欠き１３に通過させることが困難になるおそれがある。
【００２７】
端面パネル２には、スリットと折り曲げ容易線とで画定される折り込み片２ａが形成されている。折り込み片２ａは、箱体２０に組み立てられた状態で内側に折り込まれることで箱体２０に手掛け穴を形成可能に構成されている。
【００２８】
（長さ面フラップ）
一対の長さ面フラップ３は略同一形状に形成されている。長さ面フラップ３は、長さ面パネル１の上縁に接続される基端縁３ａと、この基端縁３ａと平行な先端縁３ｂとを有する。長さ面フラップ３の左右方向長さは、長さ面パネル１の左右方向長さと略等しい。長さ面フラップ３の延出方向長さは、端面パネル２の左右方向長さの１／２よりも小さい。端面パネル２の左右方向長さに対する長さ面フラップ３の延出方向長さの比としては、例えば０．２以上０．４以下とすることができる。
【００２９】
上述のように長さ面フラップ３は、先端縁３ｂの幅方向の両側に一対の切り欠き１３を有する。切り欠き１３はＶ字状である。切り欠き１３は、長さ面フラップ３の延出方向と平行な第１直線部１３ａと、第１直線部１３ａの端部（長さ面フラップ３の基端縁３ａ側の端部）に接続され、長さ面フラップ３の先端縁３ｂ側に向けて長さ面フラップ３の幅方向の内側に傾斜して延びる第２直線部１３ｂとを有する。当該箱用シート１０は、切り欠き１３が、第１直線部１３ａ及び第２直線部１３ｂを有することで、一対の長さ面フラップ３及び一対の端面フラップ４をより容易に接続することができる。より詳しくは、端面フラップ４が一対の長さ面フラップ３の上に折り重ねられた状態で凸部１２を押し下げることで、凸部１２の幅方向両側の先端部分が切り欠き１３を通過しやすくなる。
【００３０】
長さ面フラップ３の先端縁３ｂに対する第２直線部１３ｂの傾斜角度αの下限としては、３０°が好ましく、４０°がより好ましい。一方、上記傾斜角度αの上限としては、６０°が好ましく、５０°がより好ましい。上記傾斜角度αが上記下限に満たないと、切り欠き１３（より詳しくは切り欠き１３のエッジ）によって凸部１２の幅方向両側の先端部分を十分に係止できないおそれがある。逆に、上記傾斜角度αが上記上限を超えると、凸部１２と切り欠き１３のエッジとが干渉することで、凸部１２の幅方向両側の先端部分を一対の長さ面フラップ３の下側に潜り込ませ難くなるおそれがある。
【００３１】
長さ面フラップ３は、切り欠き１３の底部から基端縁３ａに亘って延びる一対の折り曲げ容易線１４を有する。折り曲げ容易線１４は直線状である。折り曲げ容易線１４は、切り欠き１３の底部から基端縁３ａに向けて長さ面フラップ３の幅方向の内側に傾斜している。当該箱用シート１０は、長さ面フラップ３が一対の折り曲げ容易線１４を有することで、凸部１２を切り欠き１３に係止する際に、長さ面フラップ３が一対の折り曲げ容易線１４で折れ曲がりやすくなる。その結果、当該箱用シート１０は、一対の折り曲げ容易線１４の折れ曲がりを利用して、凸部１２の幅方向両側の先端部分を切り欠き１３を通って一対の長さ面フラップ３の下側に容易に潜り込ませることができる。また、この構成によると、当該箱用シート１０は、一対の長さ面フラップ３の折り曲げ容易線１４よりも幅方向の外側の部分を一対の端面フラップ４の下側に潜り込ませた状態で、一対の端面フラップ４を水平に保ちやすくなる。その結果、箱体２０の天面部２１をより容易かつ確実にフラットに保持することができる。
【００３２】
長さ面フラップ３の基端縁３ａに対する折り曲げ容易線１４の傾斜角度βの下限としては、３０°が好ましく、４５°がより好ましい。一方、上記傾斜角度βの上限としては、６０°が好ましく、５５°がより好ましい。上記傾斜角度βが上記範囲外であると、凸部１２の幅方向両側の先端部分を一対の長さ面フラップ３の下側に潜り込ませる機能と一対の端面フラップ４を水平に保つ機能とを十分に発揮し難くなるおそれがある。
【００３３】
折り曲げ容易線１４は、複数の切断線とシートの内面を筋押しした複数の罫線とが交互に配置されたリード罫線であることが好ましい。折り曲げ容易線１４がリード罫線であることで、一対の長さ面フラップ３を折り曲げ容易線１４で容易かつ確実に折り曲げることができる。
【００３４】
長さ面フラップ３の基端縁３ａには、折り曲げ容易線１４との交点を外側の端部として幅方向内側に延びるスリット部１５が形成されていることが好ましい。このように、基端縁３ａにスリット部１５が形成されていることで、このスリット部１５によって、凸部１２に起因する長さ面フラップ３の基端側の浮き上がりを吸収することができ、長さ面フラップ３を全体としてフラットに保ちやすい。スリット部１５の長さとしては、例えば５ｃｍ以上１５ｃｍ以下とすることができる。
【００３５】
（端面フラップ）
一対の端面フラップ４は略同一形状に形成されている。端面フラップ４の基端縁の左右方向長さは、端面パネル２の左右方向長さと略等しい。端面フラップ４の延出方向長さは、長さ面フラップ３の延出方向長さと同じとすることができる。
【００３６】
上述のように、端面フラップ４は、台形状の基部１１と、基部１１の先端縁から突出する凸部１２とを有する。端面フラップ４には、折り曲げ容易線は形成されていないことが好ましい。また、端面フラップ４の内部には、スリットは形成されていないことが好ましい。
【００３７】
基部１１の延出方向長さＬ１は、長さ面フラップ３の側縁と第１直線部１３ａとの間隔Ｄ１と略等しい。凸部１２の延出方向長さＬ２は、長さ面フラップ３の先端縁３ｂにおける切り欠き１３の間隔Ｄ２以上とすることができる。凸部１２の延出方向長さＬ２と長さ面フラップ３の先端縁３ｂにおける切り欠き１３の間隔Ｄ２との差の上限としては、２ｃｍが好ましく、１ｃｍがより好ましい。
【００３８】
図３に示すように、凸部１２は、箱体２０に組み立てられた状態で、幅方向外側の先端部分が切り欠き１３によって係止される。凸部１２は略矩形状である。凸部１２は、先端側の両側の角部が面取りされていることが好ましい。この構成によると、凸部１２を切り欠き１３により容易に係止することができる。
【００３９】
図３に示すように、切り欠き１３の第２直線部１３ｂと凸部１２の側縁とのなす角度γの下限としては、３０°が好ましく、４０°がより好ましい。一方、上記なす角度γの上限としては、６０°が好ましく、５０°がより好ましい。上記なす角度γが上記下限に満たないと、凸部１２が切り欠き１３から抜けやすくなるおそれがある。逆に、上記なす角度γが上記上限を超えると、凸部１２を切り欠き１３に係合し難くなるおそれや、凸部１２と重なり合う部分で長さ面フラップ３の平滑性が損なわれやすくなるおそれがある。
【００４０】
凸部１２の基端縁の両外側には、端面フラップ４の基端縁と平行な一対の直線部１１ａが形成されていることが好ましい。この構成によると、一対の直線部１１ａを切り欠き１３の底部に係合することで、凸部１２の係止状態を安定的に維持しやすい。
【００４１】
（第１底外フラップ及び第２底外フラップ）
第１底外フラップ５ａは、左右方向外側に配置される長さ面パネル１の下縁から延出している。第１底外フラップ５ａは略矩形状である。第１底外フラップ５ａの先端縁には凹部１６ａが形成されている。第２底外フラップ５ｂは左右方向中央側に配置される長さ面パネル１の下縁から延出する略矩形状の本体１７ａと、本体１７ａの先端縁から延出する突片１７ｂとを有する。
【００４２】
第１底外フラップ５ａ及び第２底外フラップ５ｂ（より詳しくは、第１底外フラップ５ａと第２底外フラップ５ｂの本体１７ａ）の幅方向の両側には、基端側から先端側に向けて幅方向の内側に傾斜して延びる折り曲げ容易線１６ｃ、１７ｃが形成されている。折り曲げ容易線１６ｃ、１７ｃは直線状である。
【００４３】
第１底外フラップ５ａと第２底外フラップ５ｂとの係合手順について説明する。第１底外フラップ５ａと第２底外フラップ５ｂとを係合するに当たっては、まず、第１底外フラップ５ａを内側に略垂直に折り曲げ、さらに第２底外フラップ５ｂを第１底外フラップ５ａの外面側に折り重ねる。そして、第２底外フラップ５ｂを第１底外フラップ５ａの外面に押し当てた状態で押し込んでいく。この際、第１底外フラップ５ａに設けられた一対の折り曲げ容易線１６ｃ及び第２底外フラップ５ｂに設けられた一対の折り曲げ容易線１７ｃが適度に折れ曲がることで第２底外フラップ５ｂを容易に押し込むことができる。第２底外フラップ５ｂの突片１７ｂの先端縁が第１底外フラップ５ａの凹部１６ａを通過するまで押し込んだ後、第２底外フラップ５ｂの押し込みを解除する。これによってシート材の反力により第１底外フラップ５ａ及び第２底外フラップ５ｂが押し戻され、この過程で突片１７ｂが凹部１６ａの内側に入り込む。その結果、第１底外フラップ５ａと第２底外フラップ５ｂとが互いに係合される。
【００４４】
（底内フラップ）
一対の底内フラップ６は略同形状に形成されている。底内フラップ６は略矩形状である。一対の底内フラップ６は、箱体２０に組み立てられた状態で、第１底外フラップ５ａ及び第２底外フラップ５ｂの内側に配置される。
【００４５】
＜利点＞
当該箱用シート１０は、一対の長さ面パネル１同士及び一対の端面パネル２同士が互いに対向するように四角筒状に組み立てられた状態で、一対の長さ面フラップ３が一対の長さ面パネル１の内側に折り曲げられ、かつ一対の端面フラップ４が一対の長さ面フラップ３の上方に折り重ねられて凸部１２が切り欠き１３に係止されることで、上部開口を有する箱体２０に組み立てられる。当該箱用シート１０は、一対の端面フラップ４に設けられる凸部１２の幅方向外側の先端部分を一対の長さ面フラップ３に設けられる切り欠き１３に係止することで一対の長さ面フラップ３及び一対の端面フラップ４を接続することができるので、一対の長さ面フラップ３と一対の端面フラップ４との接続に際して凸部１２を上方に引き上げることを要しない。そのため、当該箱用シート１０は、一対の端面フラップ４に折り曲げ用の罫線を設けなくても、一対の長さ面フラップ３と一対の端面フラップ４とを容易に接続することができる。従って、当該箱用シート１０は、組立状態における一対の端面フラップ４の折れ曲がりを抑制して箱体２０の天面部２１をフラットに保持することができる。
【００４６】
［その他の実施形態］
上記実施形態は、本考案の構成を限定するものではない。従って、上記実施形態は、本明細書の記載及び技術常識に基づいて上記実施形態各部の構成要素の省略、置換又は追加が可能であり、それらは全て本考案の範囲に属するものと解釈されるべきである。
【００４７】
上記凸部の具体的な形状は上記実施形態に記載の形状に限定されるものではない。例えば上記凸部は、先端側の両側の角部が面取りされていなくてもよい。
【００４８】
上記長さ面フラップは、必ずしも切り欠きの底部から長さ面フラップの基端縁に延びる折り曲げ容易線を有していなくてもよい。また、上記長さ面フラップが上記折り曲げ容易線を有する場合でも、この折り曲げ容易線は、例えばシートの片面を筋押しして形成された罫線であってもよい。
【００４９】
上記切り欠きの具体的な形状は上記実施形態に記載の形状に限定されるものではない。例えば上記切り欠きは、対向する一対の側縁を有するＵ字状であってもよく、側縁の一部又は全部が湾曲した形状であってもよい。
【００５０】
箱体の底部を形成するための具体的な構成は特に限定されるものではない。当該箱用シートは、いわゆるワンタッチタイプ、アメリカンロックタイプ等の底部を形成するものであってもよい。
【産業上の利用可能性】
【００５１】
以上のように、本考案の一態様に係る箱用シートは、上部開口を有し、かつフラットな天面部を有する箱体を形成するのに適している。
【符号の説明】
【００５２】
１  長さ面パネル
２  端面パネル
２ａ  折り込み片
３  長さ面フラップ
３ａ  基端縁
３ｂ  先端縁
４  端面フラップ
５ａ  第１底外フラップ
５ｂ  第２底外フラップ
６  底内フラップ
７  糊代
１０  箱用シート
１１  基部
１１ａ  直線部
１２  凸部
１３  切り欠き
１３ａ  第１直線部
１３ｂ  第２直線部
１４  折り曲げ容易線
１５  スリット部
１６ａ  凹部
１６ｃ、１７ｃ  折り曲げ容易線
１７ａ  本体
１７ｂ  突片
２０  箱体
２１  天面部
α  長さ面フラップの先端縁に対する第２直線部の傾斜角度
β  長さ面フラップの基端縁に対する折り曲げ容易線の傾斜角度
γ  切り欠きの第２直線部と凸部の側縁とのなす角度
Ｌ１  基部の延出方向長さ
Ｌ２  凸部の延出方向長さ
Ｄ１  長さ面フラップの側縁と第１直線部との間隔
Ｄ２  長さ面フラップの先端縁における切り欠きの間隔
【図１】
0003227878.tif 000003
【図２】
0003227878.tif 000004
【図３】
0003227878.tif 000005